(57)【要約】  一実施形態は、データベースにおいて、コンテンツアイテムの批評を表す第１のレコードを作成し記憶することを含む。第１のレコードはそれぞれ、そのレコードの批評内で批評されるコンテンツアイテムのコンテンツアイテム識別子リストを一意に特定するフィールド又は関連付けられた索引を含む。第２のレコードはコンテンツアイテムを表し、第２のレコードはそれぞれ、そのレコードのコンテンツアイテムを批評する批評の批評アイテム識別子リストを一意に特定するフィールド又は関連付けられた索引を含む。コンピュータが、批評のうちの１つに関連する要約ウェブページの表示を要求する。これに応答して、要約ウェブページが生成される。要約ウェブページは、要求された批評についての説明情報及びデジタル形式の第２のレコードのコンテンツアイテムを記憶するファイルへのハイパーリンクを含む。ハイパーリンクは、第１のレコードのコンテンツアイテムリストに基づいて動的に生成される。
2009526325.tif 000002
【特許請求の範囲】
【請求項１】
データベースにおいて、１つ又は複数のコンテンツアイテムの批評を表す第１のレコードを作成し記憶することであって、前記第１のレコードはそれぞれ、そのレコードの前記批評において批評されるコンテンツアイテムのコンテンツアイテム識別子リストを直接又は間接的に一意に特定するフィールド又は関連付けられた索引を含む、作成し記憶すること、
前記データベースにおいて、前記コンテンツアイテムを表す第２のレコードを作成し記憶することであって、前記第２のレコードはそれぞれ、そのレコードの前記コンテンツアイテムを批評する批評の批評アイテム識別子リストを直接又は間接的に一意に特定するフィールド又は関連付けられた索引を含む、作成し記憶すること、
要求コンピュータから、前記批評のうちの１つに関連する要約ウェブページを表示する要求を受信すること、
前記要求に応答して、要約ウェブページを生成すること、およびネットワークを介して前記要約ウェブページを前記要求コンピュータに提供することであって、前記要約ウェブページは、前記要求された批評についての説明情報及び前記第２のレコードで識別されたデジタル形態の前記コンテンツアイテムを記憶する電子ファイルへのゼロ以上のハイパーリンクを含み、前記ハイパーリンクは、前記第１のレコードによって一意に特定される前記コンテンツアイテムリストに基づいて動的に生成される、要約ウェブページを生成および提供すること
を含むことを特徴とする方法。
【請求項２】
前記要約ウェブページを生成することが、前記要求された批評のデジタルテキストを記憶する電子ファイルへの追加のハイパーリンクを含む前記要約ウェブページを生成することをさらに含むことを特徴とする、請求項１に記載の方法。
【請求項３】
前記要約ウェブページを生成することが、前記要求された批評内で批評される前記コンテンツアイテムに関連する要約ウェブページへの追加のハイパーリンクを含む前記要約ウェブページを生成することをさらに含むことを特徴とする、請求項１に記載の方法。
【請求項４】
前記要約ウェブページを生成することが、ソートされた前記第１のハイパーリンクを含む前記要約ウェブページを生成することをさらに含むことを特徴とする、請求項１に記載の方法。
【請求項５】
前記批評を表す前記第１のレコードを作成して記憶することが、異なるイデオロギー観点及び歴史的時代の定期刊行物で当初発行された批評を表す前記第１のレコードを作成して記憶することを含むことを特徴とする、請求項１に記載の方法。
【請求項６】
前記作成して記憶することが、前記データベースにおいて、１つ又は複数のビジュアルメディアアイテムの批評を表す前記第１のレコード及び対応するビジュアルメディアアイテムを表す前記第２のレコードを作成して記憶することを含むことを特徴とする、請求項１に記載の方法。
【請求項７】
前記作成して記憶することが、前記データベースにおいて、１つ又は複数のオーディオメディアアイテムの批評を表す前記第１のレコード及び対応するオーディオメディアアイテムを表す前記第２のレコードを作成して記憶することを含むことを特徴とする、請求項１に記載の方法。
【請求項８】
前記批評を表す前記第１のレコードを作成して記憶することが、印刷形態でのみ当初発行された批評を表す前記第１のレコードを作成して記憶することを含むことを特徴とする、請求項１に記載の方法。
【請求項９】
前記要求コンピュータから、前記コンテンツアイテムのうちの１つを表示する第２の要求を受信すること、
前記第２の要求に応答して、第２の要約ウェブページを生成すること、および前記ネットワークを介して前記第２の要約ウェブページを前記要求コンピュータに提供することであって、前記第２の要約ウェブページは、前記要求されたコンテンツアイテムについての第２の説明情報及び前記第２のレコード内で識別される前記批評のデジタルテキストを記憶する第３の電子ファイルへの１つ又は複数の第３のハイパーリンクを含み、前記第３のハイパーリンクは、前記第２のレコードによって一意に特定される前記批評アイテムリストに基づいて動的に生成される、第２の要約ウェブページを生成および提供すること
をさらに含むことを特徴とする、請求項１に記載の方法。
【請求項１０】
前記第２の要約ウェブページを生成することが、前記要求されたコンテンツアイテムを記憶する１つ又は複数の第４の電子ファイルへの１つ又は複数の第４のハイパーリンクを含む前記第２の要約ウェブページを生成することをさらに含むことを特徴とする、請求項９に記載の方法。
【請求項１１】
前記要約ウェブページを生成することが、前記要求されたコンテンツアイテムを批評する前記批評アイテムに関連する要約ウェブページへの追加のハイパーリンクを含む前記要約ウェブページを生成することをさらに含むことを特徴とする、請求項９に記載の方法。
【請求項１２】
１つ又は複数の命令シーケンスを保持するコンピュータ可読媒体であって、前記命令は、１つ又は複数のプロセッサによって実行されると、前記１つ又は複数のプロセッサに、
前記データベースにおいて、１つ又は複数のコンテンツアイテムの批評を表す第１のレコードを作成し記憶するステップであって、前記第１のレコードはそれぞれ、そのレコードの前記批評において批評されるコンテンツアイテムのコンテンツアイテム識別子リストを直接又は間接的に一意に特定するフィールド又は関連付けられた索引を含む、作成し記憶するステップと、
データベースにおいて、前記コンテンツアイテムを表す第２のレコードを作成し記憶するステップであって、前記第２のレコードはそれぞれ、そのレコードの前記コンテンツアイテムを批評する批評の批評アイテム識別子リストを直接又は間接的に一意に特定するフィールド又は関連付けられた索引を含む、作成し記憶するステップと、
要求コンピュータから、前記批評のうちの１つに関連する要約ウェブページを表示する要求を受信するステップと、
前記要求に応答して、要約ウェブページを生成し、そしてネットワークを介して前記要約ウェブページを前記要求コンピュータに提供するステップであって、前記要約ウェブページは、前記要求された批評についての説明情報及び前記第２のレコードで識別されたデジタル形態の前記コンテンツアイテムを記憶する電子ファイルへのゼロ以上のハイパーリンクを含み、前記ハイパーリンクは、前記第１のレコードによって一意に特定される前記コンテンツアイテムリストに基づいて動的に生成される、要約ウェブページを生成して提供するステップと
を実行させることを特徴とする、コンピュータ可読媒体。
【請求項１３】
実行されると前記要約ウェブページを生成させる前記命令が、実行されると、前記要求された批評のデジタルテキストを記憶する電子ファイルへの追加のハイパーリンクを含む前記要約ウェブページを生成させる命令をさらに含むことを特徴とする、請求項１２に記載のコンピュータ可読媒体。
【請求項１４】
実行されると、前記要約ウェブページを生成させる前記命令が、実行されると、前記要求された批評内で批評される前記コンテンツアイテムに関連する要約ウェブページへの追加のハイパーリンクを含む前記要約ウェブページを生成させる命令をさらに含むことを特徴とする、請求項１２に記載のコンピュータ可読媒体。
【請求項１５】
実行されると前記要約ウェブページを生成させる前記命令が、実行されると、ソートされた前記第１のハイパーリンクを含む前記要約ウェブページを生成させる命令をさらに含むことを特徴とする、請求項１２に記載のコンピュータ可読媒体。
【請求項１６】
実行されると前記批評を表す前記第１のレコードを作成させ記憶させる前記命令が、実行されると、異なるイデオロギー観点及び歴史的時代の定期刊行物で当初発行された批評を表す前記第１のレコードを作成させ記憶させる命令を含むことを特徴とする、請求項１２に記載のコンピュータ可読媒体。
【請求項１７】
実行されると作成させ記憶させる前記命令が、実行されると、前記データベースにおいて、１つ又は複数のビジュアルメディアアイテムの批評を表す前記第１のレコード及び対応するビジュアルメディアアイテムを表す前記第２のレコードを作成させ記憶させる命令を含むことを特徴とする、請求項１２に記載のコンピュータ可読媒体。
【請求項１８】
実行されると作成させ記憶させる前記命令が、実行されると、前記データベースにおいて、１つ又は複数のオーディオメディアアイテムの批評を表す前記第１のレコード及び対応するオーディオメディアアイテムを表す前記第２のレコードを作成させ記憶させる命令を含むことを特徴とする、請求項１２に記載のコンピュータ可読媒体。
【請求項１９】
実行されると前記批評を表す前記第１のレコードを作成させ記憶させる前記命令が、実行されると、印刷形態でのみ当初発行された批評を表す前記第１のレコードを作成させ記憶させる命令を含むことを特徴とする、請求項１２に記載のコンピュータ可読媒体。
【請求項２０】
実行されると、
前記要求コンピュータから、前記コンテンツアイテムのうちの１つを表示する第２の要求を受信すること、
前記第２の要求に応答して、第２の要約ウェブページを生成すること、および前記ネットワークを介して前記第２の要約ウェブページを前記要求コンピュータに提供することであって、前記第２の要約ウェブページは、前記要求されたコンテンツアイテムについての第２の説明情報及び前記第２のレコード内で識別される前記批評のデジタルテキストを記憶する第３の電子ファイルへの１つ又は複数の第３のハイパーリンクを含み、前記第３のハイパーリンクは、前記第２のレコードによって一意に特定される前記批評アイテムリストに基づいて動的に生成される、第２の要約ウェブページを生成および提供すること
を実行させる命令をさらに含むことを特徴とする、請求項１２に記載のコンピュータ可読媒体。
【請求項２１】
実行されると前記第２の要約ウェブページを生成させる命令は、実行されると、前記要求されたコンテンツアイテムを記憶する１つ又は複数の第４の電子ファイルへの１つ又は複数の第４のハイパーリンクを含む前記第２の要約ウェブページを生成させる命令をさらに含むことを特徴とする、請求項２０に記載のコンピュータ可読媒体。
【請求項２２】
実行されると前記要約ウェブページを生成させる命令は、実行されると、前記要求されたコンテンツアイテムを批評する前記批評アイテムに関連する要約ウェブページへの追加のハイパーリンクを含む前記要約ウェブページを生成させる命令をさらに含むことを特徴とする、請求項２０に記載のコンピュータ可読媒体。
【発明の詳細な説明】
【技術分野】
【０００１】
本開示は、包括的にはデータ処理に関する。本発明は、特に、デジタル書籍及び他のコンテンツ資料をインターネット上で編成し、提示する方法に関する。
【背景技術】
【０００２】
この項において述べる手法は実施可能であるが、必ずしも、以前に考えられた、又は以前に実施された手法である訳ではない。したがって、本明細書において別段の定めがない限り、この項において述べる手法は、本願における特許請求の範囲に対する先行技術ではなく、この項への包含により先行技術であることを認めるものではない。
【０００３】
過去４０年以上にわたり、初期のグーテンバーグプロジェクト（Ｇｕｔｅｎｂｅｒｇ  Ｐｒｏｊｅｃｔ）から最近の大量に発行されたグーグル（Ｇｏｏｇｌｅ）の取り組みまで、デジタル書籍を電子形態で提供するために多くの努力がなされてきた。
【０００４】
一例として、２００３年後半に、アマゾンコム（Ａｍａｚｏｎ．ｃｏｍ）が、１００，０００冊を越える書籍の可読かつ検索可能な複製を、３００万冊を越える追加の書籍についての説明情報を現在含む他のウェブページと共にインターネットウェブサイト上にリリースした。
【０００５】
コンピュータ技術の進歩により、多数の書籍をスキャン又は別の様式でデジタル化するコストは、非常に低いレベル、多くの場合は書籍の複製を１冊購入する実費よりもかなり低いレベルに急速に削減された。ウェブ用に最適化されたアドビポータブルドキュメントフォーマット（ＰＤＦ）ファイル等の標準のデータフォーマットが、このようなデジタル書籍を表示する便利な手段を提供し、ブロードバンド接続の可用性の増大により、このようなシステムの使用を広く普及させることのいかなる帯域幅障害もなくなる。また、数百万冊もの書籍の著作権が切れており、これらを自由に公開することができ、大規模プロジェクトにグーグル（Ｇｏｏｇｌｅ）、マイクロソフト（Ｍｉｃｒｏｓｏｆｔ）、ヤフー（Ｙａｈｏｏ）、及び他の主要企業が別個に取り組んでいる。
【発明の開示】
【発明が解決しようとする課題】
【０００６】
しかし、このような多数の未処理デジタル書籍ページを実際に有用な情報に変換するに当たっての大きな１つの障害は、これらのデジタル書籍を部分的又は全体的に編成し、グループ化し、提示する論理的で安価であり、且つ効果的な手段がないことである。
【０００７】
書籍をインターネットに提示する既存のシステムの大半は、このような編成構造を提供せず、単にタイトル、著者、テキスト又は他に基づく一般的な検索プロセスの結果を通して提供するだけであるか、又は非常に雑で広い主題カテゴリを使用するかのいずれかである。
【０００８】
デジタル書籍のより知的な編成を提供するに当たっての１つの問題は、このような取り組みの膨大な人的規模であり、たった何万冊もの書籍であっても、それを読み、分析し、続けてカテゴリ化するには、クオリティの高い知的労働力の何千もの人年が必要とされる。さらに、このような評論の多くの主観的要素は、偏見又は他の論争のそれ相応の責任に容易に繋がり得る。
【０００９】
別の問題は、過去からの多くの書籍が、現在の知識からは大方薄れた特殊な話題又は問題に対処していることである。今日、こういった書籍を適宜評価又は要約するために妥当な知識又は訓練を有する個人は、いたとしても少数であろう。
【００１０】
何百万もの古い書籍を適宜編成又は分析するに当たってのこういった問題は、効果的な今日の使用に大きな制限を呈する。グーグル（Ｇｏｏｇｌｅ）等の現在の大半の検索エンジンシステムは、インターネットに基づく情報の重要性の編成及びランク付けに関して、現在のインターネットユーザにより提供されるリンクの解析に頼っており、今日、デジタル書籍を最初に見つけ、評価し、リンクするユーザがいたとしても少数である限り、その書籍は、実際にデジタル形式でインターネット上のどこかで自由に入手可能であるか否かに関わらず、検索エンジンユーザからは殆ど見えないままである。これは、アマゾン（Ａｍａｚｏｎ）システムにおいて２００３年から、自由に利用可能な膨大な量のデジタル書籍の広く普及した使用を妨げている問題の１つであるようにも見える。
【００１１】
この現在の状況下では、大半のインターネットに基づくデジタル書籍の効果的な有用性は、仮に主要研究図書館の奥深くに埋もれた、ハードコピー形態でのみ利用可能なままの場合と変わらない。
【発明を実施するための最良の形態】
【００１２】
本発明は、制限ではなく例として、同様の参照番号が同様の要素を指す添付図面の図に示される。
【００１３】
デジタルコンテンツ批評を通してのインターネット上でのデジタルコンテンツの編成が記載される。以下の説明において、説明のため、本発明の完全な理解を提供するために多くの特定の詳細を記す。しかし、このような特定の詳細なしでも本発明を実施可能なことが当業者には明らかであろう。場合によっては、本発明を不必要に曖昧にすることを避けるために、周知の構造及び装置がブロック図の形態で示される。
【００１４】
一実施形態における方法は、データベースにおいて、１つ又は複数のコンテンツアイテムの批評を表す第１のレコードを作成して記憶することであって、第１のレコードはそれぞれ、そのレコードの批評内で批評されるコンテンツアイテムのコンテンツアイテム識別子リストを直接又は間接的に一意に特定するフィールド又は関連付けられた索引を含む、作成して記憶すること；データベースにおいて、コンテンツアイテムを表す第２のレコードを作成して記憶することであって、第２のレコードはそれぞれ、そのレコードのコンテンツアイテムを批評する批評の批評アイテム識別子リストを直接又は間接的に一意に特定するフィールド又は関連付けられた索引を含む、作成して記憶すること；要求コンピュータから、批評のうちの１つに関連する要約ウェブページを表示する要求を受信すること；要求に応答して、要約ウェブページを生成すること、およびネットワークを介して要約ウェブページを要求コンピュータに提供すること；を含み、要約ウェブページは、要求された批判についての説明情報及び第２のレコードにおいて識別されたデジタル形式のコンテンツアイテムを記憶する電子ファイルへのゼロ以上のハイパーリンクを含み、ハイパーリンクは、第１のレコードにより一意に特定されるコンテンツアイテムリストに基づいて動的に生成される。一実施形態では、データベースは、批評において批評されるコンテンツアイテムのレコードに大量に相互リンクされた批評レコードを記憶し、批評と、批評及び批評されるコンテンツアイテムを含むデジタルファイルへのリンクとを表示するページを動的に生成することができる。
【００１５】
一実施形態では、要約ウェブページを生成することは、要求された批判のデジタルテキストを記憶する電子ファイルへの追加のハイパーリンクを含む要約ウェブページを生成することをさらに含む。一実施形態では、要約ウェブページを生成することは、要求された批評において批評されるコンテンツアイテムに関連する要約ウェブページへの追加のハイパーリンクを含む要約ウェブページを生成することをさらに含む。
【００１６】
一実施形態では、要約ウェブページを生成することは、ソートされた第１のハイパーリンクを含む要約ウェブページを生成することをさらに含む。一実施形態では、批評を表す第１のレコードを作成して記憶することは、異なるイデオロギー観点及び歴史的時代の定期刊行物で当初発行された批評を表す第１のレコードを作成して記憶することを含む。
【００１７】
一実施形態では、作成して記憶することは、データベースにおいて、１つ又は複数のビジュアルメディアアイテムの批評を表す第１のレコード及び対応するビジュアルメディアアイテムを表す第２のレコードを作成してレコードすることを含む。一実施形態では、作成して記憶することは、データベースにおいて、１つ又は複数のオーディオメディアアイテムの批評を表す第１のレコード及び対応するオーディオメディアアイテムを表す第２のレコードを作成して記憶することを含む。
【００１８】
一実施形態では、批評を表す第１のレコードを作成して記憶することは、当初印刷形態でのみ発行された批評を表す第１のレコードを作成して記憶することを含む。
【００１９】
一実施形態における方法は、要求コンピュータから、コンテンツアイテムのうちの１つを表示する第２の要求を受信すること；第２の要求に応答して、第２の要約ウェブページを生成すること、およびネットワークを介して第２の要約ウェブページを要求コンピュータに提供すること；をさらに含み、第２の要約ウェブページは、要求されたコンテンツアイテムについての説明情報及び第２のレコードにおいて識別された批評のデジタルテキストを記憶する第３の電子ファイルへの１つ又は複数の第３のハイパーリンクを含み、第３のハイパーリンクは、第２のレコードにより一意に特定される批評アイテムリストに基づいて動的に生成される。
【００２０】
一実施形態では、第２の要約ウェブページを生成することは、要求されたコンテンツアイテムを記憶する１つ又は複数の第４の電子ファイルへの１つ又は複数の第４のハイパーリンクを含む第２の要約ウェブページを生成することをさらに含む。一実施形態では、要約ウェブページを生成することは、要求されたコンテンツアイテムを批評する批評アイテムに関連する要約ウェブページへの追加のハイパーリンクを含む要約ウェブページを生成することをさらに含む。
【００２１】
他の実施形態では、本発明は、上記ステップを実行するように構成されるコンピュータ装置及びコンピュータ可読媒体を包含する。
【００２２】
本発明は、例えば、所与のデジタル書籍に対して発行されたその書籍の批評のデジタルコピーを関連付ける編成システムにより、デジタル書籍、定期刊行物、音楽、映画、又は他の視聴覚作品、発行物、又はコンテンツアイテムをインターネットに提示する。一実施形態では、批評は、可能な限り大きく様々な印刷発行物の集まりから取り出される。したがって、一実施形態では、多種多様な領域の批評が使用される。
【００２３】
アマゾンコム（Ａｍａｚｏｎ．ｃｏｍ）及び他の多くのインターネットウェブサイトに提示されるユーザレビュー又はウェブレビューとは異なり、これら批評は、ウェブサイト外部の以前の印刷された形態からデジタル化されるため、インターネットの作成される一世紀以上前に容易に遡ることができ、それにより、膨大な多数の書籍を包含する。また、多くのウェブサイトに提供されるユビキタスでカジュアルであり、且つ往々にして匿名の「ユーザレビュー」と異なり、これらのデジタル印刷レビューは、多くの場合に著名な著者及び当初掲載された敬意を表される発行物の信用性から、かなりの独立した信用性を引き出す。
【００２４】
このような方法は、一人の偏った又は特異な個人の批評家により信用が危険に曝される編成構造を有することのリスクを最小に抑えながら、これまで発行されたより高品質でより有意なすべての書籍の相当部分の自然な編成を可能にする。さらに、これら既存の発行された批評をデジタル化して関連付けるコストは、新しい批評を生成するコストと比較してごくわずかである。
【００２５】
この発明の一実施形態例の下では、書籍の内容全体が、大きなウェブ用に最適化された、テキスト埋め込みＰＤＦファイル等のデジタル形式でインターネット上で利用可能になる。このようなフォーマットで、この書籍及びそのいずれのページも、標準ウェブブラウザを通して容易に読め、探索され、サイズ変更され、又は印刷される。他の実施形態では、書籍の内容は、インターネット以外のデータ処理ネットワークを通して利用可能となり、実際には、任意のネットワーク構成を使用することができる。さらに、他の実施形態は、ウェブ用に最適化されたテキスト埋め込みＰＤＦ以外のデジタルデータフォーマットを使用してもよい。
【００２６】
ウェブ用に最適化された、テキスト埋め込みＰＤＦファイルフォーマットは、色又は図を含む書籍のデジタル化を自動的に行えるようにするが、これら特徴は、ファイルのサイズ及び帯域幅要件を追加させる。また、ウェブ用に最適化されたＰＤＦファイルは、クライアントが、インターネットを介して大きなＰＤＦファイル全体を転送する必要なく、大きなデジタル文書の個々のページを検索して読めるようにする。そして、このような業界標準ＰＤＦフォーマットの使用は、デジタル化プロセスの費用を最小に抑える傾向を有する。
【００２７】
図１Ａは、相互リンクされた追加の電子文書と共に、このシステムの一実施形態例でのこのようなデジタル書籍を表すブロック図を示す。分かりやすい例を示すために、以下の説明ではデジタル書籍を参照する。しかし、代替の実施形態はデジタル書籍に制限されず、任意の形式のデジタルコンテンツと併せて動作することができる。非限定的な一例として、実施形態は、デジタル音楽及びデジタル音楽の批評又はテープに録音された書籍、ＣＤに録音された書籍、スピーチ、講義等の他のデジタルオーディオメディアアイテムと併せて使用することができる。実施形態は、映画、ドキュメンタリー、ハウツーフィルム、ショートビデオクリップ等のあらゆる種類のビジュアルメディアアイテムと併せて使用することもできる。
【００２８】
ＰＤＦフォーマットで提供される各デジタル書籍［＃１１１，１１３］には、ＰＤＦファイルの１つ又は複数の部分へのリンクを含むとともに、恐らくタイトル、著者、及び発行情報を含む書籍の最小限の要約説明を表示する１つ又は複数のＨＴＭＬ要約ウェブページ［＃１１０，１１２］のセットも関連付けられる。これらと同じであるが、関連するＰＤＦリンクがないＨＴＭＬ要約ウェブページ［＃１１４］を、デジタルコンテンツが法的又は実際上の理由により現在利用できない書籍［＃１１５］に提示することができる。代替の実施形態では、ＨＴＭＬウェブページ以外の電子文書が要約ページに使用される。
【００２９】
これら書籍に関連するＨＴＭＬ要約ウェブページ［＃１１０，１１２，１１４］は、著者、タイトル、及び発行物等の等のこれら批評の説明を含む、デジタル形式で利用可能な１つ又は複数の発行された書籍批評のリストも含む。各批評リストにも、デジタル書籍批評のＰＤＦファイル［＃１１７，１１９，１２１］等の電子文書へのリンク及び各デジタル書籍批評に関連付けられた任意のＨＴＭＬ要約ウェブページ［＃１１６，１１８，１２０］へのリンクも関連付けられる。関連付けられたＨＴＭＬ書籍批評ページはそれぞれ、その記事批評でカバーされる全書籍の利用可能なＰＤＦ及びＨＴＭＬウェブページへのリンク並びに批評それ自体のＰＤＦへのリンクを含む。
【００３０】
したがって、本発明のこの実施形態の下では、所与の書籍の発行された利用可能な批評が、１つの批評記事において論評される書籍のように、ＨＴＭＬウェブページ上のリンクとして一緒にグループ化される。例えば、ブック−１［＃１１１］がレビュー−１［＃１１７］、レビュー−２［＃１１９］、及びレビュー−３［＃１２１］において論評され、したがって、ブック−１ＨＴＭＬ要約ページ［＃１１０］が、これら３つの批評［＃１１６，１１８，１２０］のＨＴＭＬ要約ページへのリンクを含む。レビュー−３はブック−２及びブック−３も論評しているため、そのＨＴＭＬ要約ページ［＃１２０］もこれら３冊すべての書籍［＃１１０，１１２，１１４］のＨＴＭＬ要約ページへのリンクを含む。この相互リンクは、ブック−１、ブック−２、及びブック−３の３冊すべてが同じレビュー−１内で論評され、したがってある程度関連する可能性があるため、ブック−１をブック−２及びブック−３に自動的に関連付けるように機能する。
【００３１】
この相互リンクの効果は、所与のユーザが所与の書籍の対立する複数の批評を調べること、及び同じ批評内で論評され、したがって、最初に考慮された書籍にいくらか関連する他の書籍を発見することの容易さを最大にすることを目的とする。
【００３２】
ＨＴＭＬ要約ウェブページは、要求コンピュータからの要求に応じて、コールドフュージョン（ＣｏｌｄＦｕｓｉｏｎ）等のウェブアプリケーション言語でプログラムされ、利用可能なすべての書籍及びその批評の著者、タイトル、及び他の情報を含むＭｙＳＱＬ等の関係データベースからデータを引き出すテンプレートを使用して動的に作成される。インターネットページ要求は、アパッチ（Ａｐａｃｈｅ）ウェブページサーバ等のウェブサーバによって管理される。
【００３３】
この動的ＨＴＭＬ実施態様は、書籍ウェブページ及び書籍批評ウェブページの両方が、著者、日付、タイトル、発行元、又は他の関連情報によってソートされたリンクを表示できるようにする。恩恵の中でも特に、このようなソートは、読み手が、特定の時間枠に当初著された書籍に対して発行された批評に容易にフォーカスできるようにする。
【００３４】
図１Ｂ、図１Ｃ、及び図１Ｄは、このシステムの一実施形態例からのいくつかのＨＴＭＬ要約ウェブページの画面取り込みショットを提示する。
【００３５】
この実施形態では、これら特定のＨＴＭＬページには、（１）ユーザが著者、タイトル、又は他の説明情報に基づいて書籍及び定期刊行物記事を求めてシステムを探索できるようにする様々な上位レベルＨＴＭＬページを通して、（２）ブロガー又は様々な他のウェブサイトにより提供されるような外部インターネットリンクを介して、又は（３）グーグル（Ｇｏｏｇｌｅ）及びヤフー（Ｙａｈｏｏ）等のメジャーな検索エンジンがウェブサイトのページを索引付けた後、これら検索エンジンの結果ページを通して、を含む多種多様な異なる方法で到達することができる。
【００３６】
図１Ｂは、スーザンファルディ（Ｓｕｓａｎ  Ｆａｌｕｄｉ）著の書籍「Ｓｔｉｆｆｅｄ：Ｔｈｅ  Ｂｅｔｒａｙａｌ  ｏｆ  ｔｈｅ  Ａｍｅｒｉｃａｎ  Ｍａｎ」のＨＴＭＬ要約ウェブページを提示し、左派定期刊行物ディセント（Ｄｉｓｓｅｎｔ）及びインジーズタイムズ（Ｉｎ  Ｔｈｅｓｅ  Ｔｉｍｅｓ）、リベラル派定期刊行物リーズン（Ｒｅａｓｏｎ）、及び保守派定期刊行物アメリカンエンタープライズ（Ｔｈｅ  Ａｍｅｒｉｃａｎ  Ｅｎｔｅｒｐｒｉｓｅ）に見られるその書籍の４つの批評記事のリストを含む。要約ページは、書籍表紙の大きなＪＰＥＧイメージを含み、批評は、その書籍が現れる雑誌号の表紙の小さなＪＰＥＧイメージを含む。各批評は、「バックトラック（Ｂａｋｔｒａｃｋ）」等の下線付きタイトルで示されるようなその批評のＨＴＭＬ要約ページへのリンク及び下線付き太字のラベル「ＰＤＦ」で示されるようなその批評記事のＰＤＦへの直接リンクの両方を含む。
【００３７】
この特定の実施形態では、各批評は、「１９９９年１１月１４日（Ｎｏｖｅｍｂｅｒ  １４，１９９９）」等の下線付きの日付で示されるように、定期刊行物の号全体のＨＴＭＬ要約ページへのリンクも含む。さらに、ＨＴＭＬ要約ページの表示フォーマットは、いくつかの他のリンクのうちの任意の１つを選択することによって変更することができ、批評のソート順は、「著者（Ａｕｔｈｏｒ）」リンク、「タイトル（Ｔｉｔｌｅ）」リンク、及び「発行元（Ｐｕｂｌｉｃａｔｉｏｎ）」リンクによって制御され、「簡易表示（Ｃｏｎｄｅｎｓｅｄ）」リンクは小さなＪＰＥＧイメージを除去して、批評をより簡単な純粋なテキストフォーマットで表示する。さらに、「購入（Ｐｕｒｃｈａｓｅ）」ボタンは、ユーザがアマゾンコム（Ａｍａｚｏｎ．ｃｏｍ）のその書籍のページにリダイレクトして、容易に購入できるようにする。
【００３８】
図１Ｃは、図１Ｂに列挙したリーズン（Ｒｅａｓｏｎ）批評のＨＴＭＬ要約ページを提示し、雑誌表紙の大きなＪＰＥＧイメージ及びその記事において批評された２冊の書籍の表示の小さなＪＰＥＧイメージを表示する。図１ＣのＨＴＭＬ要約ページは、例えば、図１Ｂの要約ページ内の批評に関連するハイパーリンク（すなわち、「Ｔｈｅ  Ｍａｎ  Ｑｕｅｓｔｉｏｎ」ハイパーリンク）を選択することによって表示することができる。列挙された各書籍は、これら書籍のＨＴＭＬ要約ウェブページへのリンクを含み、書籍それ自体の実際のＰＤＦがウェブサイト上で利用可能なった場合、そのＰＤＦへのリンクも含む。ページの底部付近にある下線付きの数字「６４」、「６５」、及び「６６」は、批評の実際のＰＤＦの特定のページへのリンクを表す。さらに、「購読（Ｓｕｂｓｃｒｉｂｅ）」ボタンは、ユーザを特定の雑誌の購読ページにリダイレクトする。
【００３９】
図１Ｄは、ロバート  Ａ．ニスベット（Ｒｏｂｅｒｔ  Ａ．Ｎｉｓｂｅｔ）著の書籍「Ｔｗｉｌｉｇｈｔ  ｏｆ  Ａｕｔｈｏｒｉｔｙ」及びチボー  Ｒ．マカン（Ｔｉｂｏｒ  Ｒ．Ｍａｃｈａｎ）著の書籍「Ｔｈｅ  Ｐｓｅｕｄｏ−Ｓｃｉｅｎｃｅ  ｏｆ  Ｂ．Ｆ．Ｓｋｉｎｎｅｒ」を批評するリベラル派定期刊行物「フリーマン（Ｔｈｅ  Ｆｒｅｅｍａｎ）」内の記事のＨＴＭＬ要約ページを表す。これら書籍のうちの２番目の書籍は現在、ウェブサイト上で利用可能なため、リストは、ラベル「ＰＤＦ」で示されるその書籍の実際のＰＤＦへのリンクを含み、このリンクは最初の書籍には存在しない。
【００４０】
一実施形態例では、動的ウェブページの土台である関係データベースは以下のように設計される。
【００４１】
システムに追加される各デジタル書籍、定期刊行物の号、又は他のコンテンツアイテムについて、データベースレコードが作成され、データベースに記憶される。このような各レコードは、レコードによって表されるデジタル書籍、定期刊行物、又は他のコンテンツアイテムの一意の識別子としても動作する一意のデータＩＤを含む。
【００４２】
図２は、ＭｙＳＱＬ関係データベースに基づいて一実施形態例のデジタルコンテンツアイテムとそれらコンテンツアイテムのデジタル批評とを相互リンクするこのシステムの実施に使用することができるデータベーススキーマの一部の構造を示す。
【００４３】
この実施形態例では、関係データベーステーブル内の各レコードは、ｖａｒｃｈａｒ型（２５５）の一意の発行物識別子ｐｕｂＩＤ［＃２０１］並びに書籍又はそのレコードによって表される批評記事のタイトル及び著者を含むテキストフィールドのｔｉｔｌｅ［＃２０３］及びａｕｔｈｏｒ［＃２０４］を含む。また、各レコードは、値「Ｂｏｏｋ（書籍）」（レコードが書籍を表すことを示す）又は「Ｒｅｖｉｅｗ（批評）」（レコードが批評記事を表すことを示す）に制限されるｅｎｕｍ  ｔｙｐｅフィールド［＃２０２］を含む。最後に、批評記事の場合、テキストフィールドｒｅｖＩＤ＿ｌｉｓｔ［＃２０５］は、その批評記事内で批評される全書籍に対応するｐｕｂＩＤ値のカンマで区切られたリストを含む。ｐｕｂＩＤフィールドは一意の索引を使用し、ｔｙｐｅフィールドは非一意の索引を使用し、ｔｉｔｌｅ、ａｕｔｈｏｒ、及びｒｅｖＩＤ＿ｌｉｓｔの各フィールドはすべて、フルテキスト索引を使用する。
【００４４】
この実施形態では、図２に示されていないデータベーススキーマの他の部分は、発行日、発行元、書籍のＩＳＢＮ番号、定期刊行物のＩＳＳＮ番号等のさらなる説明情報及び識別情報を表す追加のフィールドを含むことができる。あるいは、このような情報は、ｐｕｂＩＤ［＃２０１］に基づいて図２のテーブルにリンク又はキー付けされる別個のテーブルに記憶してもよい。
【００４５】
批評記事［♯１１６］の動的ＨＴＭＬ要約ページを生成するプロセス中、ｒｅｖＩＤ＿ｌｉｓｔ内のリスト要素の値が、それら要素に対応する書籍の説明情報を検索するクエリの生成に使用される。一方、書籍［♯１１０］の動的ＨＴＭＬ要約ページを生成するに当たり、フルテキストＳＱＬクエリがｒｅｖＩＤ＿ｌｉｓｔフィールドに対して実行され、それにより、その書籍のすべての批評のリストである、その書籍のｐｕｂＩＤを含むｒｅｖＩＤ＿ｌｉｓｔを含むすべてのレコードが見つけられる。
【００４６】
一実施形態では、デジタル書籍のｐｕｂＩＤフィールドは、一般に、第１の著者の名と姓を組み合わせ、一意性のために必要な追加の数値サフィックスを添付することによって引き出すことができる。例えば、ウィンストンチャーチル（Ｗｉｎｓｔｏｎ  Ｃｈｕｒｃｈｉｌｌ）著の書籍の一意のｐｕｂＩＤは、ＣｈｕｒｃｈｉｌｌＷｉｎｓｔｏｎ＿１９４７であることができる。この実施形態では、定期刊行物記事の一意の識別子は、定期刊行物の名称、発行日、及び記事の開示ページから導出することができ、それにより、エンカウンター（Ｅｎｃｏｕｎｔｅｒ）の１９６２年６月号の４５ページから始まる記事の一意のｐｕｂＩＤ識別子はＥｎｃｏｕｎｔｅｒ−１９６２ｊｕｎ−０００４５であることができる。
【００４７】
図３は、この実施形態の特定の例でのデータベーステーブルの４つのレコードの値のサブセットを示す。示される最初の３つのレコード［＃３０１−３０３］は、ウィンストンチャーチル（Ｗｉｎｓｔｏｎ  Ｃｈｕｒｃｈｉｌｌ）著の「Ｔｈｅｉｒ  Ｆｉｎｅｓｔ  Ｈｏｕｒ」、「Ｔｈｅ  Ｈｉｎｇｅ  ｏｆ  Ｆａｔｅ」、及び「Ｃｌｏｓｉｎｇ  ｔｈｅ  Ｒｉｎｇ」というタイトルの３冊の書籍に対応し、一意のｐｕｂＩＤ索引パラメータであるＣｈｕｒｃｈｉｌｌＷｉｎｓｔｏｎ＿１９４７、ＣｈｕｒｃｈｉｌｌＷｉｎｓｔｏｎ＿１９４９、及びＣｈｕｒｃｈｉｌｌＷｉｎｓｔｏｎ＿１９５１によって表される。４番目のレコード［＃３０４］は、「エンカウンター（Ｅｎｃｏｕｎｔｅｒ）」の１９６２年６月号で発行されたステフェンスペンダー（Ｓｔｅｐｈｅｎ  Ｓｐｅｎｄｅｒ）著の「Ｃｈｕｒｃｈｉｌｌ  ｔｈｅ  Ｗｒｉｔｅｒ  ｖｓ．Ｃｈｕｒｃｈｉｌｌ  ｔｈｅ  Ｌｅａｄｅｒ」というタイトルの書籍批評記事に対応する。記事は３冊のチャーチル（Ｃｈｕｒｃｈｉｌｌ）の書籍を批評しているため、ｒｅｖＩＤ＿ｌｉｓｔの記事の値は、これら書籍のｐｕｂＩＤ値のカンマで区切られたリストを含む。
【００４８】
この相互リンクされたデジタル書籍と書籍批評のネットワークを生成するプロセスの一例は、以下である。
【００４９】
まず、書籍及び発行された批評がＰＤＦファイルに変換され、インターネット上に提供される。デジタル書籍及び批評をインターネット上に提供することは、例えば、デジタル書籍及び批評を、インターネットに直接又は間接的に結合された記憶装置又はサーバに記憶することを含むことができる。このデジタル化プロセス中、書籍及び書籍批評の著者、タイトル、及び発行元等の説明情報もＭｙＳＱＬデータベースに入力され、挿入される各レコードには一意の識別子で索引付けされる。
【００５０】
図４は、動作のいくつかを並列に実行することができる本発明の一実施形態例の手順プロセスの一例を表すブロック図を示す。
【００５１】
ウェブアプリケーション言語でのプログラミング開発［＃４１０］により、ＨＴＭＬ要約ウェブページ［＃１１０，１１２，１１４，１１６，１１８，１２０］を動的に生成するために使用される１つ又は複数のテンプレートが生成される［＃４１１］。テンプレート［＃４１１］は、ＨＴＭＬ要約ウェブページの特定のレイアウト及び表示可能なビュー、互いへのリンク、ＰＤＦファイルへのリンク、及び任意の外部ウェブページへのリンクを含めたシステムの基本設計アーキテクチャを含む。このようなプログラミングはすべて、コールドフュージョン（ＣｏｌｄＦｕｓｉｏｎ）、ＰＨＰ、又は他の何らかの現在又は将来のウェブアプリケーション言語を使用し、動的ウェブページ作成のための標準ソフトウェアプログラミング技法を使用して実行することができる。
【００５２】
ステップ４１２に示されるように、デジタルコンテンツについての要約説明情報が、コンテンツそれ自体から又は外部データベース若しくは他のソースからのデータ入力を通して得られ、土台をなす関係データベースに挿入される［＃４１３］。標準データベースプログラミング技法を使用して、このような情報を挿入することができる。ステップ４１２は、ステップ４１０と並列に実行することができる。様々な実施形態では、このような要約情報は、書籍、章、及び記事の著者、タイトル、及び開始ページを含むことができる。印刷コンテンツの場合、要約情報の大半は、通常、書籍又は定期刊行物の号の目次ページのテーブルから得ることができる。
【００５３】
まだバイナリイメージフォーマットになっていないいかなる印刷コンテンツも、ＯＣＲ処理を含む標準技術を使用してスキャンし、このようなフォーマットにデジタル化して、テキストを抽出し、テキストのＡＳＣＩＩバージョンを埋め込むことができる［＃４１４］。ステップ４１４はステップ４１０、４１２と並列に実行することができる。一実施形態例では、この処理の出力は検索可能なテキスト埋め込みＰＤＦファイル［＃４１７］であり、これが、この実施形態において提供されるデジタルコンテンツファイル［＃１１１，１１３，１１７，１１９，１２１］を構成する。この実施形態例では、印刷コンテンツの表紙ページのバイナリイメージも別個に抽出され圧縮されて、ＨＴＭＬ要約ウェブページへの表示に使用される軽量ＪＰＥＧグラフィカルイメージファイル［＃４１５］が生成される。
【００５４】
これら生成プロセスが完了すると、所与のＨＴＭＬ要約ウェブページ［＃４１６］の生成が、ウェブアプリケーションプログラミングテンプレート［＃４１１］、関係データベース［＃４１３］内に含まれる説明情報、軽量グラフィカルイメージファイル［＃４１５］から導き出され、これは、適切なＰＤＦファイル［＃４１７］へのリンクを含むことができる。
【００５５】
最後に、デジタル批評記事のＰＤＦファイルが調べられて、各記事で批評される書籍が判断され、書籍／批評記事の相互リンクを決定して、それら書籍に対応するデータＩＤがその記事のデータベースレコードに追加される。システムにまだ含まれていない批評されるこのようないずれの書籍も、この段階［＃４１８］においてシステムデータベースに挿入される。
【００５６】
図５は、書籍及び書籍批評記事が相互リンクされるデジタル化／データベースリンク生成プロセスのこの最後の段階［＃４１８］の生成プロセスの一例の拡張図を表すブロック図を示す。
【００５７】
まず、処理中の書籍批評記事のＨＴＭＬ要約ページが、土台をなす関係データベースに含まれる値に変更を行えるデータベース編集モードで開かれる［＃５０１］。次に、その記事のＰＤＦページを表示する別個のウィンドウが開かれ、批評される書籍を含め、その内容を目で見て調べることができる［＃５０２］。
【００５８】
この後、タイトル及び著者に基づくＳＱＬデータベースクエリが使用されて、批評された書籍のいずれかがデータベースシステム内にまだ含まれていなかどうかが判断される［＃５０３］。欠けているこのような任意の書籍のレコードはデータベースに挿入され、一意のｐｕｂＩＤ識別子で索引付けられ、書籍批評それ自体から又は他の何らかの外部データベースから得られる説明情報を含む［＃５０４］。
【００５９】
最後に、既存であれ、新たに作成されるかに関わりなく、その記事で批評されるすべての書籍のｐｕｂＩＤのリストが、批評記事のｒｅｖＩＤ＿ｌｉｓｔフィールドにカンマで区切られた形態で保存される［＃５０５］。次に、別のＳＱＬクエリが使用されて、処理すべき（すなわち、ｒｅｖＩＤ＿ｌｉｓｔにまだ空の値を有する）次の批評記事のｐｕｂＩＤが決定され、その記事のＨＴＭＬ要約ページが開かれる。
【００６０】
図６は、本発明の一実施形態を実施することができるコンピュータシステム６００を示すブロック図である。コンピュータシステム６００は、情報を通信するバス６０２又は他の通信機構、及びバス６０２に結合され、情報を処理するプロセッサ６０４を含む。コンピュータシステム６００は、バス６０２に結合され、情報及びプロセッサ６０４による実行される命令を記憶する、ランダムアクセスメモリ（「ＲＡＭ」）又は他の動的記憶装置等のメインメモリ６０６も含む。メインメモリ６０６は、プロセッサ６０４により実行される命令の実行中に一時変数又は他の中間情報を記憶するために使用することもできる。コンピュータシステム６００は、バス６０２に結合され、静的な情報及びプロセッサ６０４の命令を記憶する読み取り専用メモリ（「ＲＯＭ」）６０８又は他の静的記憶装置をさらに含む。情報及び命令を記憶する、磁気ディスク又は光ディスク等の記憶装置６１０が提供され、バス６０２に結合される。
【００６１】
コンピュータシステム６００は、バス６０２を介して、情報をコンピュータユーザに表示する、陰極線管（「ＣＲＴ」）等のディスプレイ６１２に結合することができる。情報及びコマンド選択をプロセッサ６０４に伝達する、英数字キー及び他のキーを含む入力装置６１４が、バス６０２に結合される。別の種類のユーザ入力装置は、方向情報及びコマンド選択をプロセッサ６０４に伝達するとともに、ディスプレイ６１２上のカーソルの移動を制御する、マウス、トラックボール、スタイラス、又はカーソル方向キー等のカーソル制御機構６１６である。この入力装置は、通常、第１の軸（例えば、ｘ）及び第２の軸（例えば、ｙ）という２軸において自由度２を有し、装置が平面において位置を特定できるようにする。
【００６２】
本発明は、広範囲のデジタルコンテンツ批評を通してインターネット上でデジタルコンテンツを編成するためのコンピュータシステム６００の使用に関連する。本発明の一実施形態によれば、広範囲のデジタルコンテンツ批評を通してデジタルコンテンツをインターネット上で編成することは、プロセッサ６０４がメインメモリ６０６に含まれる１つ又は複数の命令の１つ又は複数のシーケンスを実行することに応答して、コンピュータシステム６００によって提供される。このような命令は、記憶装置６１０等の別のコンピュータ可読媒体からメインメモリ６０６に読み込むことができる。メインメモリ６０６に含まれる命令シーケンスの実行により、プロセッサ６０４に本明細書において述べたプロセスステップを実行させる。代替の実施形態では、本発明を実施するために、ソフトウェア命令に代えて、またはソフトウェア命令と組み合わせてハードワイヤード回路を使用してもよい。したがって、本発明の実施形態は、ハードウェア回路及びソフトウェアのいかなる特定の組み合わせにも制限されない。
【００６３】
本明細書において使用する用語「コンピュータ可読媒体」は、実行のために命令をプロセッサ６０４に提供することに関わる任意の媒体を指す。このような媒体は、不揮発性媒体、揮発性媒体、及び伝送媒体を含むがこれらに限定されない多くの形態をとることができる。不揮発性媒体は、例えば、記憶装置６１０等の光ディスク又は磁気ディスクを含む。揮発性媒体は、例えば、メインメモリ６０６等の動的メモリを含む。伝送媒体は、バス６０２を構成するワイヤを含め、同軸ケーブル、銅線、及び光ファイバを含む。伝送媒体は、電波及び赤外線通信中に生成されるもの等の音波又は光波の形態をとることもできる。
【００６４】
コンピュータ可読媒体の一般的な形態としては、例えば、フロッピー（登録商標）ディスク、フレキシブルディスク、ハードディスク、磁気テープ、又は他の任意の磁気媒体、ＣＤ−ＲＯＭ、他の任意の光媒体、パンチカード、紙テープ、穴パターンを有する他の任意の物理的な媒体、ＲＡＭ、ＰＲＯＭ、及びＥＰＲＯＭ、フラッシュＥＰＲＯＭ、他の任意のメモリチップ又はカートリッジ、後述する搬送波、又はコンピュータが読み取れる他の任意の媒体が挙げられる。
【００６５】
各種形態のコンピュータ可読媒体が、実行のためにプロセッサ６０４に１つ又は複数の命令の１つ又は複数のシーケンスを搬送するに当たって関わることができる。例えば、命令をまず、リモートコンピュータの磁気ディスクに搬送することができる。リモートコンピュータは、命令を動的メモリにロードして、モデムを使用して電話回線を介して命令を送信することができる。コンピュータシステム６００のローカルのモデムは、電話回線上でデータを受信し、赤外線送信器を使用してデータを赤外線信号に変換することができる。赤外線検出器が赤外線信号で搬送されるデータを受信することができ、適切な回路がそのデータをバス６０２にのせることができる。バス６０２はデータをメインメモリ６０２に搬送し、プロセッサ６０４は、メインメモリ６０６から命令を検索して実行する。メインメモリ６０６が受信する命令は、オプションとして、プロセッサ６０４による実行前又は実行後に記憶装置６１０に記憶することができる。
【００６６】
コンピュータシステム６００は、バス６０２に結合された通信インタフェース６１８も含む。通信インタフェース６１８は、ローカルネットワーク６２２に接続されたネットワークリンク６２０に結合する双方向データ通信を提供する。例えば、通信インタフェース６１８は、データ通信接続を対応する種類の電話回線に提供する総合デジタル通信網（「ＩＳＤＮ」）カード又はモデムであることができる。別の例として、通信インタフェース６１８は、データ通信接続を適合するＬＡＮに提供するローカルエリアネットワーク（「ＬＡＮ」）カードであることができる。無線リンクを実施することも可能である。任意のこのような実施態様では、通信インタフェース６１８は、各種の情報を表すデジタルデータストリームを搬送する電気信号、電気磁気信号、又は光信号を送受信する。
【００６７】
ネットワークリンク６２０は、通常、１つ又は複数のネットワークを通してデータ通信を他のデータ装置に提供する。例えば、ネットワークリンク６２０は、ホストコンピュータ６２４又はインターネットサービスプロバイダ（「ＩＳＰ」）６２６が運営しているデータ機器にローカルネットワーク６２２を通して接続を提供することができる。そして、ＩＳＰ６２６は、現在では一般に「インターネット」６２８と呼ばれているワールドワイドパケットデータ通信網を通してデータ通信サービスを提供する。ローカルネットワーク６２２及びインターネット６２８は両方とも、デジタルデータストリームを搬送する電気信号、電気磁気信号、又は光信号を使用する。コンピュータシステム６００に、そしてコンピュータ６００からデジタル信号を搬送する、各種ネットワークを通る信号及びネットワークリンク６２０上にあり通信インタフェース６１８を通る信号は、情報を運ぶ搬送波の例示的な形態である。
【００６８】
コンピュータシステム６００は、ネットワーク、ネットワークリンク６２０、及び通信インタフェース６１８を通して、プログラムコードを含めたメッセージを送信し、データを受信することができる。インターネットの例では、サーバ６３０は、インターネット６２８、ＩＳＰ６２６、ローカルネットワーク６２２、及び通信インタフェース６１８を通して要求されたコードをアプリケーションプログラムに送信することができる。本発明によれば、このようにしてダウンロードされる１つのアプリケーションが、本明細書に述べた広範囲のデジタルコンテンツ批評を通してのインターネット上でのデジタルコンテンツの編成を提供する。
【００６９】
プロセッサ６０４は、受信されたコードをコード受信時に実行し、且つ／又は後で実行するために記憶装置６１０若しくは他の不揮発性記憶装置に記憶することができる。このようにして、コンピュータシステム６００は、搬送波の形態でアプリケーションコードを得ることができる。
【００７０】
上記明細書において、本発明の特定の実施形態を参照して本発明を説明した。しかし、本発明のより広い精神及び範囲から逸脱することなく、各種の変更及び変形を実施可能なことが明らかであろう。したがって、本明細書及び図面は、制限の意味ではなく例示の意味で考慮されるべきである。
【００７１】
例えば、デジタル書籍及び書籍批評を、テキスト埋め込みの単一ＰＤＦファイルとして提供されることに代えて、ＴＩＦＦ、ＪＰＥＧ、又は他の何らかの現時又は将来のバイナリイメージフォーマット等の他の何らかのフォーマットで提供することもできる。各種実施形態において、ページイメージは、独立バイナリイメージとして表示されるか、ＨＴＭＬページのインラインフレーム内の挿入イメージのように軽量ウェブページフレームワーク内に表示される。これらページイメージは、一緒に単一のファイルにバインドしてもよく、別個のファイルとして提供してもよく、又はデータベース内に「バイナリラージオブジェクト」（ＢＬＯＢ）として存在してもよい。
【００７２】
単純なＨＴＭＬテキストで構成することに代えて、書籍及び書籍費用に関連するウェブページは、ＸＭＬ又は他の何らかの現在又は将来の軽量テキストフォーマットでレンダリングすることもできる。
【００７３】
コールドフュージョン（ＣｏｌｄＦｕｓｉｏｎ）に基づくのではなく、軽量動的ウェブページの生成に使用されるテンプレートはそれに代えて、ＰＨＰ等の他の何らかの現在又は将来のウェブアプリケーションプログラミング言語を使用してもよい。さらに、ＭｙＳＱＬではなく、こういった動的ウェブページの作成を駆動する土台をなすデータベースシステムはそれに代えて、オラクルＳＱＬ（Ｏｒａｃｌｅ  ＳＱＬ）、マイクロソフトＳＱＬサーバ（Ｍｉｃｒｏｓｏｆｔ  ＳＱＬ−Ｓｅｒｖｅｒ）、又は他の何らかの現在又は将来のＳＱＬ又は他の関係データベースに頼ることもできる。
【００７４】
書籍編成のためにのみ使用されるのではなく、批評は、フィルム又は音楽等の他の形態の批評されるコンテンツの同様の編成にも使用することができる。
【図面の簡単な説明】
【００７５】
【図１Ａ】一実施形態例での追加の電子文書が相互リンクされたデジタル書籍を表すブロック図を示す。
【図１Ｂ】一実施形態例からのＨＴＭＬ要約ウェブページの画面取り込みショットを提示する。
【図１Ｃ】一実施形態例からのＨＴＭＬ要約ウェブページの画面取り込みショットを提示する。
【図１Ｄ】一実施形態例からのＨＴＭＬ要約ウェブページの画面取り込みショットを提示する。
【図２】一実施形態例でのデジタルコンテンツアイテムとこれらコンテンツアイテムのデジタル批評とを相互リンクするこのシステムの実施に使用することができるデータベーススキーマの一部の構造を示す。
【図３】この実施形態の特定の例におけるデータベーステーブルの４つのレコードの値のサブセットを示す。
【図４】いくつかの動作を並列に実行することができる一実施形態例での生成プロセスの一例を表すブロック図を示す。
【図５】図４のステップ４１８の生成プロセスの一例の拡張図を表すブロック図を示す。
【図６】一実施形態を実施することができるコンピュータシステムを示す。
【図１Ａ】
2009526325.tif 000003
【図１Ｂ】
2009526325.tif 000004
【図１Ｃ】
2009526325.tif 000005
【図１Ｄ】
2009526325.tif 000006
【図２】
2009526325.tif 000007
【図３】
2009526325.tif 000008
【図４】
2009526325.tif 000009
【図５】
2009526325.tif 000010
【図６】
2009526325.tif 000011
【国際調査報告】
2009526325.tif 000012